(57)【要約】【課題】キャビネット本体に配線巻き込みを防止するための隔壁を設けなくても、鎖錠時に係止片によって光ファイバ等の通信線が破損されるおそれがない電気電子機器収納用キャビネットを提供する。【解決手段】キャビネット本体と、その開口部に蝶番で枢着された扉と、扉に取付けられたハンドル装置４とを備えた電気電子機器収納用キャビネットである。ハンドル装置４は取手３によって回動されてキャビネット本体の係合部７と係合する係止片６を備える。この係止片６は、開錠位置から鎖錠位置に向かう際に、キャビネットの外側から内側に向かう回転軌跡を有するものとする。【選択図】図３
2015026643.tif 000002
【特許請求の範囲】
【請求項１】
キャビネット本体と、その開口部に蝶番で枢着された扉と、この扉に取付けられたハンドル装置とを備えた電気電子機器収納用キャビネットであって、前記ハンドル装置は取手によって回動されてキャビネット本体の係合部と係合する係止片を備え、この係止片は開錠位置から鎖錠位置に向かう際に、キャビネットの外側から内側に向かう回転軌跡を有するものであることを特徴とする電気電子機器収納用キャビネット。
【請求項２】
前記ハンドル装置はハンドル装置本体に起伏及び回動可能に枢着された長方形の取手を備え、該取手の長手方向に前記係止片を設けたことを特徴とする請求項１記載の電気電子機器収納用キャビネット。
【請求項３】
扉が右開き扉である場合にも、左開き扉である場合にも、取手と係止片の相対位置を同一としたことを特徴とする請求項２記載の電気電子機器収納用キャビネット。
【請求項４】
キャビネット本体の係合部の前方に、ハンドル装置本体を位置させたことを特徴とする請求項３記載の電気電子機器収納用キャビネット。
【請求項５】
キャビネット本体の係合部の上下に、右開き用係合箇所と左開き用係合箇所とを設け、これらの係合箇所間のスペースに、扉を閉じた状態でハンドル装置本体が収まる構造としたことを特徴とする請求項４記載の電気電子機器収納用キャビネット。
【発明の詳細な説明】
【技術分野】
【０００１】
本発明は、扉にハンドル装置を備えた電気電子機器収納用キャビネットに関するものであり、特に内部機器が情報通信機器であり、光ファイバ等の通信線が多数引き込まれるような用途に適した電気電子機器収納用キャビネットに関するものである。
【背景技術】
【０００２】
一般に電気電子機器収納用キャビネットは、第三者が内部機器に触れることを防止する安全上の目的やセキュリティ確保の目的で、扉にハンドル装置を取付けて施錠できる構造となっている。ハンドル装置としては例えば特許文献１に示されるように、扉の端部であってキャビネット本体の開口部の内側の位置に配置されたものが一般的である。ハンドル装置は施錠状態においてはハンドル本体内に収納されている取手を備えており、取手を引き起こして９０度回転させると取手と同軸に取付けられている係止片が回転してキャビネット本体の係合部から外れ、扉を開くことができる構造である。
【０００３】
この場合、取手は自重により安定位置を維持するように鎖錠状態においては６時の方向を向いており、蝶番が右側にある右開きのキャビネットの場合には、係止片は９時の位置でキャビネット本体と係合している。この位置のまま取手をハンドル本体に押し込んで固定すれば、鎖錠状態が維持される。また開錠する際には、取手をハンドル本体から引き起こしたうえ、６時の位置から３時の方向に操作する。この操作に伴って係止片は９時の位置から６時の位置まで回転し、ハンドル本体から外れて開錠状態となる。施錠するときには逆に係止片は６時の位置から９時の位置に回転することはいうまでもない。
【０００４】
しかしながら、開錠状態においては６時の位置にある係止片を施錠のために９時の位置まで回転させると、係止片は右開きのキャビネットの内側から外側に向かって移動することとなり、扉を開いた状態で配線した光ファイバ等の通信線が係止片に引っ掛かったまま外側に引っ張られ、破損される可能性があった。もしこのような破損が生じた場合にも、扉が鎖錠されているため発見が遅れることとなる。
【０００５】
なお、このような配線巻き込みを防止するための隔壁をキャビネットの端部に形成することも行われている。しかし、キャビネット構造の複雑化やコストアップの要因となるという問題がある。
【先行技術文献】
【特許文献】
【０００６】
【特許文献１】特開２００９−２４９８９０号公報
【発明の概要】
【発明が解決しようとする課題】
【０００７】
従って本発明の目的は上記した従来の問題点を解決し、キャビネット本体に配線巻き込みを防止するための隔壁を設けなくても、鎖錠時に係止片によって光ファイバ等の通信線が破損されるおそれがない電気電子機器収納用キャビネットを提供することである。
【課題を解決するための手段】
【０００８】
上記の課題を解決するためになされた本発明は、キャビネット本体と、その開口部に蝶番で枢着された扉と、この扉に取付けられたハンドル装置とを備えた電気電子機器収納用キャビネットであって、前記ハンドル装置は取手によって鎖錠位置と開錠位置との間を回転する係止片を備え、この係止片は開錠位置から鎖錠位置に向かう際に、キャビネットの外側から内側に向かう回転軌跡を有することを特徴とするものである。
【０００９】
なお請求項２のように、前記ハンドル装置はハンドル装置本体に起伏及び回動可能に枢着された長方形の取手を備え、該取手の長手方向に前記係止片を設けた構造であることが好ましく、また請求項３のように、扉が右開き扉である場合にも、左開き扉である場合にも、取手と係止片の相対位置を同一とすることが好ましい。
【００１０】
また請求項４のように、キャビネット本体の係合部の前方に、ハンドル装置本体を位置させることが好ましく、さらに請求項５のように、キャビネット本体の係合部の上下に、右開き用係合箇所と左開き用係合箇所とを設け、これらの係合箇所間のスペースに、扉を閉じた状態でハンドル装置本体が収まる構造とすることが好ましい。
【発明の効果】
【００１１】
請求項１、２の発明によれば、鎖錠時に係止片はキャビネットの外側から内側に向かって回転するため、近傍に通信線があっても内側に押し込みながらキャビネット本体の係合部に係合する。このため内部機器の配線巻き込みが生ずることがない。またキャビネットの内側に係止片を回動させるスペースを必要としないため、ハンドル装置の幅を小さくすることができ、キャビネットの内部空間を有効に活用することができる。
【００１２】
請求項３の発明によれば、扉の右開きと左開との変更が容易である。すなわち、右開きと左開きとを変更するためには、キャビネット本体と扉とを一体として回転させ、扉からハンドル装置を取り外して反転させて取付けるとともに、取手から係止片も取り外し、反転させたうえで再度取付ける作業が必要であった。しかし本発明では取手と係止片の相対位置が同一であるため、扉からハンドル装置を取り外して反転させて取付けるだけでよく、係止片の取付け方向を変える必要はない。このため作業性を向上させることができる。
【００１３】
請求項４の発明によれば、キャビネット本体の係合部の前方に、ハンドル装置を位置させたので、係止片の長さを短くすることができる。このため扉に対してハンドル装置を外側に位置させることができ、キャビネット本体の内部空間を有効に利用することができ、扉面に機器を取付ける際にも扉面を広く使用できる。
【００１４】
請求項５の発明によれば、キャビネット本体の係合部とハンドル装置の位置関係において厚みを少なく抑えることができ、キャビネット本体側を広く使用することができる。
【図面の簡単な説明】
【００１５】
【図１】実施形態の電気電子機器収納用キャビネットを示す外観斜視図である。
【図２】鎖錠状態を示す要部の斜視図である。
【図３】開錠状態を示す要部の斜視図である
【図４】鎖錠状態を示す要部の背面図である。
【図５】開錠状態を示す要部の背面図である。
【図６】要部の断面図である。
【図７】要部の平面図である。
【図８】他の実施形態の鎖錠装置を示す要部の斜視図である。
【図９】キャビネット本体の内部構造を示す斜視図である。
【図１０】キャビネット本体の内部構造を示す斜視図である。
【図１１】キャビネット本体の内部構造のうち、２段目を示す斜視図である。
【図１２】キャビネット本体の内部構造のうち、３段目を示す斜視図である。
【図１３】図１１の断面図である。
【発明を実施するための形態】
【００１６】
以下に本発明の実施形態を説明する。
図１は実施形態の電気電子機器収納用キャビネットを示す外観斜視図であり、１はキャビネット本体、２はその開口部を覆う扉である。図面は何れもキャビネット本体１を水平にした状態で描かれているが、使用状態ではキャビネット本体１を垂直に立てた状態となる。扉２は右側を蝶番（図示せず）で枢着された右開き扉である。この実施形態の電気電子機器収納用キャビネットは、光ファイバの接続箱である。扉２の蝶番とは反対側には、回動式の取手３を備えたハンドル装置４が設けられていることは従来と同様である。
【００１７】
ハンドル装置４は図２、図３に示されるように、略長方形状のハンドル装置本体５と、ハンドル装置本体５に対して起伏及び回動可能に枢着された長方形の取手３を備えている。なお、図２以下の図は全て、扉２を省略して描かれている。図４は図２の状態における背面図、図５は図３の状態における背面図である。図２、図４に示されるように、ハンドル装置４は取手３の長手方向に延びる係止片６を備えている。図４、図５に示すように、係止片６の回転中心Ｏから端部Ａまでの距離ＯＡは、端部Ｂまでの距離ＯＢよりも大きく設定されている。
【００１８】
この係止片６は取手３を回動させることによって回動するもので、図２の状態ではキャビネット本体１の鉤型の係合部７と係合し、扉２を鎖錠している。なおハンドル装置４はキャビネット本体１の係合部７の前方に位置している。図６に示されるように、キャビネット本体１の係合部７は、上下に右開き用係合箇所７ａと左開き用係合箇所７ｂとを備えたもので、これらはキャビネット本体１の開口端部を扉２側に折り曲げた垂直辺部８に形成されている。図６に示されるように、これらの係合箇所間のスペースに、扉を閉じた状態でハンドル装置本体５の裏面の突出部分が収まるようになっている。図２、図３に示すように、係合部７はキャビネット本体１の開口端部９よりも外側に位置している。
【００１９】
図２の状態から回動式の取手３を引き起こし矢印１０の方向に回転させると、図３、図５に示すように係止片６は回動し、鉤型の係合部７から外れる。このため鎖錠状態は解除され、扉２を開くことが可能となる。このとき係止片６の先端部分はキャビネット本体１の開口端部９に形成された垂直辺部８よりも外側に位置する。逆に図３の状態から取手３を矢印１０の反対方向に回動させると、係止片６は時計方向に回転して図２、図４の位置となり、鎖錠状態となる。すなわち、開錠位置から鎖錠位置に向かう際に、係止片６はキャビネットの外側から内側に向かう回転軌跡を有することとなる。
【００２０】
上記した係止片６の動きを再度説明すると、取手３が図３の開錠状態にあるとき、係止片６は鉤型の係合部７から外れた位置にある。この状態から取手３を図２の方向に回転させると、係止片６はキャビネット本体１の外側から内側位置に向かって回動し、係合部７と係合する。すなわち、取手３を３時の位置から６時の位置に回転させると、係止片６は９時の位置から１２時の位置まで移動する。このように、鎖錠動作を行う際に係止片６はキャビネット本体１の外側から内側位置に向かう回転軌跡を有しており、係合部７はキャビネット本体１の開口端部９よりも外側に位置して、この係合部７よりも外側には配線は存在しないので、鎖錠時に係止片６によって光ファイバ等の通信線が破損されるおそれがない。従って従来のように、キャビネット本体１に配線巻き込みを防止するための隔壁を設けなくても、鎖錠時に係止片６によって光ファイバ等の通信線が破損されるおそれがない。
【００２１】
なお上記した実施形態では、キャビネット本体１側の係合部７はキャビネット本体１の開口端部９を扉２側に折り曲げた垂直辺部８に形成されており、扉２を開こうとするときに係合部７が受ける力は垂直辺部８の板面方向に作用するため、強度的に優れた構造とすることができる。また図７に示すように、ハンドル装置５の幅を狭くすることができるうえ、ハンドル装置５を扉２の外側端部に位置させることができ、係合部７もキャビネット本体１の開口端部９の外側に位置させることができるので、キャビネット本体１の内部空間を広く使用することができる。
【００２２】
上記した実施形態では、取手３はハンドル装置本体５から起立させて回転させるタイプとしたが、取手３の構造はこれに限定されるものではなく、円形としたり、コインを用いて係止片６を回転させるタイプとしたり、略Ｔ字状や略Ｌ字状の取手を着脱自在としたタイプなど、様々なタイプのものを用いることができる。
【００２３】
上記した実施形態では、キャビネット本体１の係合部７は、上下に右開き用係合箇所７ａと左開き用係合箇所７ｂとを備えたものとした。このため上記したように取手３の長手方向に係止片６を形成しておけば、ハンドル装置４を上下反転させるだけで扉２の開き方向を左右何れにも容易に変更することができる。この際、取手３と係合片６は相対位置が同一であるため、扉からハンドル装置を取り外して反転させて取り付けるだけでよく、係合片の取付け方向を変える必要がない。このため作業性を向上することができる。
【００２４】
なお上記した実施形態では、キャビネット本体１の係合部７を折り曲げ成形された垂直辺部８に形成したが、図８に示すように板材を上下から折り曲げて略Ｃ字状に構成したものでもよい。この構造とすれば係合部側に誘い込み部を設けることができるので、スムーズな鎖錠動作を行うことができる。
【００２５】
以下に図９以下の図面を参照しつつ、実施形態のキャビネット本体１の内部構造を簡単に説明する。前記したようにこの電気電子機器収納用キャビネットは光ファイバの接続箱として使用されるものである。光ファイバの接続箱には、人が操作することがある接続用のパーツと、人が操作する可能性の低いパーツとがある。そこでキャビネット本体１の内部を複数段に分け、底面に近い１段目を操作の可能性が低いパーツの収納部とし、２段目を操作の可能性の高いパーツの収納部とした。なおこの実施形態では３段目も設けられている。
【００２６】
具体的には、キャビネット本体１の１段目には、光ファイバを入線するための光ファイバ接続部１１と、光ファイバの余長部を収納する余長トレー１２が左側（係合部７に近い側）に配置されている。右側には脚部１３が配置され、その下側空間は電線収納用空間１４となっている。
【００２７】
余長トレー１２の上方には回動式の第１の配線仕切り板１５が垂直板１６を介して枢着されており、図１１のように第１の配線仕切り板１５を下した状態でその上面を２段目としてメディアコンバータ１７が搭載されている。このメディアコンバータ１７の電源線１８は上記した電線収納用空間１４に収納されている。
【００２８】
脚部１３の上部にはアダプタ接続部１９が搭載されている。アダプタ接続部１９は第１の配線仕切り板１５の横側に位置している。脚部１３の端部は、第１の配線仕切り板１５の先端を支持固定している。具体的には図１１に示すように、第１の配線仕切り板１５と脚部１３の孔部２０を合せてワンタッチ係合部で係合させている。
【００２９】
３段目は図１２、図１３に示すように第２の配線仕切り板２１を２段目の上方に設け、その上面に形成されている。この第２の配線仕切り板２１はキャビネット本体１に取付けられているが、第１の配線仕切り板１５やアダプタ接続部１９の載置部に取付けることもできる。この３段目には通信機器に接続される機器が配置される。具体的には、メタル機器であるスイッチングハブや、ルーター等の通信機器２２が搭載される。
【００３０】
通常、光ファイバのアダプタ接続部１９は機器取付板に取付けられ、積層構造のものでも１段目に配置されることが多いが、この実施形態では２段目に位置させるとともにその下方の１段目を配線収納用空間１４としたので、内部スペースの有効利用を図ることができ、キャビネット本体１の筐体サイズをコンパクト化することができるとともに、作業性を向上させたものである。
【符号の説明】
【００３１】
１  キャビネット本体
２  扉
３  取手
４  ハンドル装置
５  ハンドル装置本体
６  係止片
７  係合部
７ａ  右開き用係合箇所
７ｂ  左開き用係合箇所
８  垂直辺部
９  開口端部
１０  矢印
１１  光ファイバ接続部
１２  余長トレー
１３  脚部
１４  電線収納用空間
１５  第１の配線仕切り板
１６  垂直板
１７  メディアコンバータ
１８  電源線
１９  アダプタ接続部
２０  孔部
２１  第２の配線仕切り板
２２  通信機器
【図１】
2015026643.tif 000003
【図２】
2015026643.tif 000004
【図３】
2015026643.tif 000005
【図４】
2015026643.tif 000006
【図５】
2015026643.tif 000007
【図６】
2015026643.tif 000008
【図７】
2015026643.tif 000009
【図８】
2015026643.tif 000010
【図９】
2015026643.tif 000011
【図１０】
2015026643.tif 000012
【図１１】
2015026643.tif 000013
【図１２】
2015026643.tif 000014
【図１３】
2015026643.tif 000015